【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
釣竿に装着され、釣り糸を前方に繰り出し可能なスピニングリールであって、
前記釣竿に装着され、ハンドルを有するリール本体と、
前記リール本体に前後方向に沿って移動可能に装着されたスプール軸と、
前記スプール軸の前端部に固定され、外周に前記釣り糸が巻き付けられるスプールと、
前記スプールの外周側に回転可能に設けられ、前記釣り糸を前記スプールに巻き付けるロータと、
前記リール本体に回転自在に支持され、前記ハンドルが一体回転可能に装着されるマスターギア軸と、前記マスターギア軸の外周側に設けられ前記ハンドルの回転を前記ロータに伝達するギア部とを有するマスターギアと、
前記スプール軸の外周側に配置され、前記ロータに一体回転可能に装着され、前記ハンドルの回転に連動して前記マスターギアの回転が伝達されるピニオンギアと、
前記ピニオンギアの回転に連動して前記スプール軸を介して前記スプールを前後移動させるオシレーティング機構と、を備え、
前記オシレーティング機構は、
外周部に螺旋状溝が形成され、前記スプール軸と略平行かつ前記ギア部に面して配置され、前記ピニオンギアの回転に連動して回転する螺軸と、
前記螺軸の前記ギア部と離反する側で前記螺旋状溝に係合する係合部材と、前記係合部材の一部が回動自在に装着され前記螺軸の前記ギア部と離反する側の外周のみと対向して設けられ前記螺軸の回転に連動して前後移動するスライダ本体と、を有するスライダと、
前記リール本体に設けられ、前記スライダを前後方向に案内する案内部と、を有している、スピニングリール。
【請求項２】
前記リール本体は、両側部が開口し前記オシレーティング機構の各部材が収納される本体部材と、前記本体部材の前記ギア部装着側の側部開口を閉塞する第１蓋部材と、前記本体部材の前記ギア部装着側と逆側の側部開口を閉塞する第２蓋部材とを有しており、
前記係合部材は、前記リール本体の前記第２蓋部材側の開口から挿入されている、請求項１に記載のスピニングリール。
【請求項３】
前記係合部材は、前記螺軸に係合する係合部と、前記第２蓋部材装着側から前記スライダ本体に装着される装着軸部とを有している、請求項２に記載のスピニングリール。
【請求項４】
前記螺軸は、前記スプール軸より前記ギア部側に近接した位置になるように配置されている、請求項１から３のいずれか１項に記載のスピニングリール。
【請求項５】
前記スライダ本体は、
前記スプール軸の後端部が少なくとも軸方向相対移動不能に装着される第１装着部と、
前記係合部材が装着される第２装着部とを有しており、
前記第２装着部は、前記第１装着部より前記第２蓋部材側に偏倚するように配置されている、請求項１から４のいずれか１項に記載のスピニングリール。
【請求項６】
前記マスターギア軸は、前記スプール軸の前記釣竿装着側に配置され、
前記螺軸は、前記マスターギア軸の前記釣竿装着側に配置され、
前記スライダ本体は、前記スプール軸が最も前方に位置したときに前記第１装着部と前記第２装着部とで前記マスターギア軸を跨ぐように前記第１装着部と前記第２装着部とを連結する連結部をさらに有している、請求項５に記載のスピニングリール。
【請求項７】
前記案内部は、前記係合部材が前記スライダ本体に装着されている部分の下方に少なくとも一部が重なるように前記前後方向に沿って配置されたガイド軸を有している、請求項１から８のいずれか１項に記載のスピニングリール。
【請求項８】
前記ガイド軸は、前記スプール軸の前記マスターギア軸から離反する側方に少なくとも一部が重なるように配置されている、請求項７に記載のスピニングリール。
【手続補正２】
【補正対象書類名】明細書
【補正対象項目名】全文
【補正方法】変更
【補正の内容】
【発明の詳細な説明】
【発明の名称】スピニングリール
【技術分野】
【０００１】
本発明は、スピニングリール、特に、釣竿に装着され、釣り糸を前方に繰り出し可能なスピニングリールに関する。
【背景技術】
【０００２】
一般に、スピニングリールは、ハンドルを有し釣竿に装着されるリール本体と、リール本体に前後移動自在に装着された糸巻き用のスプールと、リール本体に回転自在に支持され釣り糸をスプールに巻き付けるためのロータと、ハンドルの回転に連動してロータを回転させるロータ駆動機構と、ハンドルの回転に連動してスプールを前後移動させるオシレーティング機構とを備えている。ロータ駆動機構は、ハンドルが一体回転可能に装着されたマスターギア軸とマスターギア軸の外周側に設けられハンドルの回転をロータに伝達するギア部とを有するマスターギアと、ロータに一体回転可能に装着されハンドルの回転に連動してマスターギアの回転が伝達されるピニオンギアとを有している。オシレーティング機構は、トラバースカム方式の往復移動機構であって、外周部に螺旋状溝が形成されピニオンギアの回転に連動して回転する螺軸と、螺軸の螺旋状溝に係合する係合部材と、係合部材が装着され螺軸の回転に連動して前後移動するスライダとを有している。
【０００３】
このようなスピニングリールでは、ハンドルを糸巻き取り方向に回転させると、ハンドルの回転力はマスターギアを介してピニオンギアに伝達され、ピニオンギアに伝達された回転力は、ピニオンギアの前部を介してロータに伝達され、ロータが糸巻き取り方向に回転する。一方、ピニオンギアの回転に連動して螺軸が回転すると、螺旋状溝に係合する係合部材を介してスライダが前後方向に移動する。スライダが前後方向に移動すると、スライダに軸方向移動不能に装着されたスプール軸が前後方向に移動することによって、スプールが前後方向に移動する。
【０００４】
このようなオシレーティング機構では、リール本体を小型化するために、螺軸をスプール軸の上側（釣竿装着側）に配置したものが知られている（たとえば、特許文献１参照）。ここでは、螺軸がスプール軸の上側に配置されているので、スプール軸の下側に各種の機構を配置するスペースを設ける必要がなくなり、このため、リール本体を上下方向に小型化できる。
【０００５】
また、この種のオシレーティング機構では、螺軸はマスターギア軸の上側のスライダを前後方向に貫通して配置されており、スライダのスプール軸固定部分は、スライダの螺軸装着部分の下側の、マスターギア軸の下側に配置されている。ここでは、螺軸がスライダの上側を前後に貫通する構成になっており、螺軸がスライダを前後方向に案内するガイド軸の役割を兼用している。
【特許文献１】実公平１−４２４６１号公報
【発明の開示】
【発明が解決しようとする課題】
【０００６】
前記従来のオシレーティング機構では、螺軸がスライダの上側を前後に貫通する構成になっているので、螺軸を支持するためにスライダの上側の厚みが厚くなるように形成する必要が生じ、スライダが大型化するおそれが生じる。スライダが大型化すると、特に、スライダの左右方向の厚みが厚くなると、スライダを収納するために、リール本体が左右方向に大型化してしまうおそれが生じる。
【０００７】
本発明の課題は、スピニングリールにおいて、スライダを小型化するとともに、リール本体を左右方向にコンパクト化することにある。
【課題を解決するための手段】
【０００８】
発明１に係るスピニングリールは、釣竿に装着され釣り糸を前方に繰り出し可能なスピニングリールであって、釣竿に装着されハンドルを有するリール本体と、リール本体に前後方向に沿って移動可能に装着されたスプール軸と、スプール軸の前端部に固定され外周に釣り糸が巻き付けられるスプールと、スプールの外周側に回転可能に設けられ釣り糸をスプールに巻き付けるロータと、リール本体に回転自在に支持されハンドルが一体回転可能に装着されるマスターギア軸とマスターギア軸の外周側に設けられハンドルの回転をロータに伝達するギア部とを有するマスターギアと、スプール軸の外周側に配置されロータに一体回転可能に装着されハンドルの回転に連動してマスターギアの回転が伝達されるピニオンギアと、ピニオンギアの回転に連動してスプール軸を介してスプールを前後移動させるオシレーティング機構とを備えている。オシレーティング機構は、外周部に螺旋状溝が形成されスプール軸と略平行かつギア部に面して配置されピニオンギアの回転に連動して回転する螺軸と、螺軸のギア部と離反する側で螺旋状溝に係合する係合部材と、係合部材が装着され螺軸のギア部と離反する側の外周のみと対向して設けられ螺軸の回転に連動して前後移動するスライダ本体とを有するスライダと、リール本体に設けられスライダを前後方向に案内する案内部と、を有している。
【０００９】
このスピニングリールでは、螺軸は、マスターギアのギア部に面して配置され、スライダ本体は、螺軸のギア部と離反する側の外周のみと対向して設けられ、案内部により前後方向に案内されている。ここでは、螺軸は、スライダ本体と対向するように配置されているので、従来のように螺軸がスライダ本体を貫通していた場合に比して、スライダ本体を小型化することができる。また、さらに、ここでは、右方向又は左方向に向かって、マスターギアのギア部、螺軸、係合部材、スライダ本体の順に配置されているので、従来のように螺軸がスライダ本体を貫通していたときに不可能であった、螺軸をギア部に近接するように配置することができるので、リール本体を左右方向にコンパクト化することができる。
【００１０】
発明２に係るスピニングリールは、発明１のスピニングリールにおいて、リール本体は、両側部が開口しオシレーティング機構の各部材が収納される本体部材と、本体部材のギア部装着側の側部開口を閉塞する第１蓋部材と、本体部材のギア部装着側と逆側の側部開口を閉塞する第２蓋部材とを有している。係合部材は、リール本体の第２蓋部材側の開口から挿入されている。この場合、リール本体は、本体部材、第１蓋部材、第２蓋部材の３ピースで構成されているので、第１蓋部材の開口からマスターギア、第２蓋部材の開口から螺軸、スライダ本体、係合部材を容易に組み立てることができる。
【００１１】
発明３に係るスピニングリールは、発明２のスピニングリールにおいて、係合部材は、螺軸に係合する係合部と、第２蓋部材装着側からスライダ本体に装着される装着軸部とを有している。この場合、第２蓋部材装着側から、スライダ本体、係合部材の順に組み立てることができるので、組立性を向上できる。
【００１２】
発明４に係るスピニングリールは、発明１から３のいずれかのスピニングリールにおいて、螺軸は、スプール軸よりギア部側に近接した位置になるように配置されている。この場合、螺軸をギア部に近接するように配置することができるので、リール本体を左右方向にコンパクト化することができる。
【００１３】
発明５に係るスピニングリールは、発明１から４のいずれかのスピニングリールにおいて、スライダ本体は、スプール軸の後端部が少なくとも軸方向相対移動不能に装着される第１装着部と、係合部材が装着される第２装着部とを有している。第２装着部は、第１装着部より第２蓋部材側に偏倚するように配置されている。この場合、螺軸と第１装着部とが左右方向に重なる位置に配置することができるので、スライダ本体を大型化することなく、螺軸をコンパクトに配置できる。
【００１４】
発明６に係るスピニングリールは、発明５のスピニングリールにおいて、マスターギア軸は、スプール軸の釣竿装着側に配置されている。螺軸は、マスターギア軸の釣竿装着側に配置されている。スライダ本体は、スプール軸が最も前方に位置したときに第１装着部と第２装着部とでマスターギア軸を跨ぐように第１装着部と第２装着部とを連結する連結部をさらに有している。この場合、螺軸はマスターギア軸の釣竿装着側（上側）に配置され、スプール軸はマスターギア軸の釣竿装着側と逆側（下側）に配置されており、螺軸の螺旋状溝に係合する係合部材もマスターギア軸の釣竿装着側（上側）に配置されている。そして、スライダ本体は、マスターギア軸の釣竿装着側と逆側（下側）に配置されスプール軸固定部分である第１装着部と、マスターギア軸の釣竿装着側（上側）に配置され係合部材の装着部分である第２装着部と、スプール軸が最も前方に位置したときに第１装着部と第２装着部とでマスターギア軸を跨ぐように第１装着部と第２装着部とを連結する連結部とを有している。ここでは、スプール軸が最も前方に位置したときに、第１装着部と第２装着部とがマスターギア軸の上下を跨ぐように配置されているので、スプール軸固定部分である第１装着部と係合部材の装着部分である第２装着部をマスターギア軸の前方側に配置することができる。したがって、螺軸やスライダ本体を前後方向に案内するガイド軸を後方に延長させることなく、スライダの前後移動量を十分に確保することができるので、リール本体の後部を前後方向に短くすることができ、このため、リール本体を前後方向にコンパクト化することができる。
【００１５】
発明７に係るスピニングリールは、発明１から６のいずれかのリールにおいて、案内部は、係合部材がスライダ本体に装着されている部分の下方に少なくとも一部が重なるように前後方向に沿って配置されたガイド軸を有している。この場合、係合部材が装着されている部分の下方のデッドスペースを有効利用でき、ガイド軸を設けてもリール本体左右の幅に影響を与えにくい。
【００１６】
発明８に係るスピニングリールは、発明７のリールにおいて、ガイド軸は、スプール軸のマスターギア軸から離反する側方に少なくとも一部が重なるように配置されている。この場合、ガイド軸がスライダのスプール軸装着部分の外方に配置されるので、リール本体の上下方向の大きさに影響を与えにくい。
【発明の効果】
【００１７】
本発明によれば、スピニングリールにおいて、螺軸は、マスターギアのギア部に面して配置され、スライダ本体は、螺軸のギア部と離反する側の外周のみと対向して設けられているので、スライダ本体を小型化することができるとともに、リール本体を左右方向にコンパクト化することができる。
【発明を実施するための最良の形態】
【００１８】
本発明の一実施形態によるスピニングリールは、図１から図３、図８に示すように、投げ釣り用のスピニングリールであって、ハンドル１を有し、釣竿に装着されるリール本体２と、リール本体２の前部に回転自在に装着されたロータ３と、ロータ３の前部に配置された前後移動するスプール４とを主に備えている。また、スピニングリールは、ハンドル１の回転に連動してロータ３を回転駆動するロータ駆動機構５と、ロータ３の回転に連動してスプール４を前後移動させるオシレーティング機構６とを備えている。
【００１９】
リール本体２は、内部にロータ駆動機構５とオシレーティング機構６とを収納している。リール本体２は、図１から図３、図８に示すように、両側が開口する筐体部１０と、筐体部１０の両側をそれぞれ塞ぐ第１蓋部材１１及び第２蓋部材１２と、筐体部１０に一体形成された竿取付脚部１３と、筐体部１０及び第１蓋部材１１、第２蓋部材１２を後方から覆う第１カバー部材１４、第２カバー部材１５とを有している。
【００２０】
筐体部１０は、図２、図３、図８に示すように、たとえばアルミニウム合金製の部材であり、ロータ駆動機構５やオシレーティング機構６を収納支持するための収納空間１０ａを形成し得る両面が開口した枠状の部材である。筐体部１０の前面には、図２、図８に示すように、後述する逆転防止機構５０のワンウェイクラッチ５１やピニオンギア９等が装着される円板状の機構支持部１０ｂが形成されている。
【００２１】
第１蓋部材１１は、たとえばアルミニウム合金製の部材であり、筐体部１０の一面を覆うように形成されている。第１蓋部材１１は、図３、図８に示すように、ロータ駆動機構５のマスターギア７に近接して配置されている。また、第１蓋部材１１には、図３に示すように、マスターギア７が設けられたマスターギア軸８の一端をマスターギア７の背面側で支持する第１ボス部１１ａが壁面の略中央部分に外方に突出して形成されている。また、第１蓋部材１１の前部には、図８に示すように、ロータ３の内部に入り込む円板部を構成する略半円形の第１フランジ部１１ｂが形成されている。さらに、第１フランジ部１１ｂの前部には、図８に示すように、機構支持部１０ｂの後面に配置され機構支持部１０ｂの外周面と略面一に構成される略半円弧状の第１機構収納カバー１１ｃが形成されている。
【００２２】
第２蓋部材１２は、たとえばアルミニウム合金製の部材であり、第１蓋部材１１と略対称な鏡像関係の形状であり、図３、図８に示すように、第１ボス部１１ａ、第１フランジ部１１ｂ、第１機構収納カバー１１ｃと略対称な鏡像関係の形状である、第２ボス部１２ａ、第２フランジ部１２ｂ、第２機構収納カバー１２ｃが形成されている。このため、第１フランジ部１１ｂ及び第２フランジ部１２ｂは、筐体部１０の機構支持部１０ｂ後面の外周面とで円形を構成するように形成されている。この円形部分がロータ３の後面に僅かな隙間で嵌り込むように構成されている。
【００２３】
なお、第１蓋部材１１、第２蓋部材１２は、たとえば丸頭ビスのような固定ねじにより、筐体部１０に固定されている。
【００２４】
竿取付脚部１３は、図１から図３、図８に示すように、筐体部１０から上方に延びるＴ字形状の部材であり、先端に形成された前後に延びるリール脚１３ａが釣竿に図示しないリールシートに装着可能である。
【００２５】
第１カバー部材１４、第２カバー部材１５は、図１から図３、図８に示すように、第１蓋部材１１、第２蓋部材１２を装着した状態の筐体部１０を後方から側部及び底部を覆うように湾曲して形成されている。第１カバー部材１４、第２カバー部材１５は、ＡＢＳ樹脂等の比較的硬質の合成樹脂製であり、表面に金属めっきを施している。
【００２６】
ロータ駆動機構５は、図２、図３、図８に示すように、ハンドル１のハンドル軸がねじ込み固定されるマスターギア軸８と、マスターギア軸８に一体形成されたマスターギア７と、マスターギア７と噛み合うピニオンギア９とを備えている。
【００２７】
マスターギア７は、図３に示すように、たとえばアルミニウム合金製のフェースギアであって、マスターギア軸８とともに一体成形されている。マスターギア７は、図５に拡大して示すように、ピニオンギア９に噛み合う斜歯で構成されるギア部７ａが右側に向くように配置されている。
【００２８】
マスターギア軸８は、図３に示すように、マスターギア７とアルミニウム合金により一体成形された中実部材であって、リール本体２の第１蓋部材１１、第２蓋部材１２に形成された第１ボス部１１ａ及び第２ボス部１２ａに装着された軸受１９ａ、１９ｂによりリール本体２に回転自在に装着されている。マスターギア軸８の中央部は、図５に拡大して示すように、両端部より小径になっており、後述するスライダ２２が跨ぎやすい構造になっている。マスターギア軸８は、後述するスライダ本体２２ｂの第１装着部２２ｃと第２装着部２２ｄとで跨がれる部分が、中実部材であって、他の部分より小径になるように形成されている。また、マスターギア軸８は、スプール軸１６の釣竿装着側（上側）に配置されている。マスターギア軸８の両端内周部には、雌ねじ部８ａ、８ｂがそれぞれ形成されている。雌ねじ部８ａ、８ｂは、ハンドル１を糸巻き取方向に回転したときねじが締まる方向のねじである。したがって、図３左側の雌ねじ部８ａは左ねじであり、図３右側の雌ねじ部８ｂは右ねじである。また、マスターギア軸８の軸受１９ｂの支持部分の軸方向内側には、図８に示すように、軸受１９ｂの内輪に接触する大径の鍔部８ｃが形成さている。鍔部８ｃの外周面の対向する２箇所には、組立時にマスターギア軸８をスプール軸１６と螺軸２１の間に通しやすくするために平面的に切り欠かれた切り欠き部８ｄが形成されている。
【００２９】
なお、ハンドル１は、図１及び図３に示す左位置と図示しない右位置とのマスターギア軸８の両端のいずれにも装着可能である。しかし、雌ねじ部８ａ、８ｂのねじ方向が異なるため、ハンドル軸１ａを左右に取り付ける場合、それぞれ専用のものが用意されている。
【００３０】
ピニオンギア９は、図２、図８に示すように、中空筒状の部材であり、前部がロータ３を貫通してロータ３を回転不能に装着している。ピニオンギア９の内周部には、図２に示すように、スプール軸１６が貫通して配置されている。ピニオンギア９の前部には、図２に示すように、ナット１７が装着されており、ナット１７によりロータ３がピニオンギア９に固定されている。ピニオンギア９は、図２に示すように、その軸方向の中間部と後端部とがそれぞれ軸受１８ａ、１８ｂによりリール本体２の筐体部１０に回転自在に支持されている。軸受１８ａ、１８ｂは、機構支持部１０ｂに装着されている。
【００３１】
オシレーティング機構６は、図２、図３、図８に示すように、トラバースカム方式のレベルワインド機構であって、ピニオンギア９に噛み合う減速機構２０と、減速機構２０に連動して回転する螺軸２１と、螺軸２１に係合して前後に往復移動するスライダ２２と、スライダ２２をスプール軸１６方向に案内する２本のガイド軸２３ａ、２３ｂとを有している。
【００３２】
減速機構２０は、図６、図７に拡大して示すように、ピニオンギア９に噛み合う大径ギア２５ａ及び小径ギア２５ｂを有する段付ギア２５と、螺軸２１の前端部の軸部に相対回転不能に装着され小径ギア２５ｂに噛み合う中間ギア２６とを備えている。段付ギア２５は、ピニオンギア９と平行な軸回りに回転する。大径ギア２５ａは、ピニオンギア９に噛み合うねじギアである。小径ギア２５ｂは、中間ギア２６に噛み合うねじギアである。ピニオンギア９は、図６に示すように、マスターギア軸８の下側に配置され、段付ギア２５、中間ギア２６は、マスターギア軸８の上側に配置されている。螺軸２１の前端部の軸部は、螺軸２１の他の部分より小径に形成されており、このため、図７に示すように、大径ギア２５ａと螺軸２１の前端部の軸部とが干渉しにくい構成になっている。中間ギア２６は、螺軸２１の前端部に相対回転不能に装着固定されたねじギアである。ここでは、小径ギア２５ｂより大径の中間ギア２６に噛み合うことにより、ピニオンギア９の回転が大きく減速されて螺軸２１に伝達される。このような減速機構２０によって、スプール４の前後移動の速度が減速されるので、釣り糸を密巻きにすることができる。
【００３３】
螺軸２１は、図２、図８に示すように、表面に交差する螺旋状の螺旋状溝２１ａが形成された部材であり、スプール軸１６と平行に配置されている。螺軸２１は、筐体部１０の前後端に回転自在に装着されている。螺軸２１は、筐体部１０の後方から装着されている。螺軸２１は、図４に拡大して示すように、スプール軸１６と略平行かつマスターギア軸８の釣竿装着側（上側）に配置されている。螺軸２１は、図５に拡大して示すように、マスターギア７のギア部７ａに面して配置されている。螺軸２１は、図５に拡大して示すように、スプール軸１６よりギア部７ａ側（図５左側）に近接した位置になるように配置されている。
【００３４】
スライダ２２は、図２、図３、図８に示すように、螺軸２１の螺旋状溝２１ａに係合する係合部材２２ａと、係合部材２２ａが装着され螺軸２１の回転に連動して前後移動するスライダ本体２２ｂと、スライダ本体２２ｂを前後方向に案内する２本のガイド軸（案内部の一例）２３ａ、２３ｂと、を有している。スライダ２２は、係合部材２２ａの先端が螺旋状溝２１ａに係合することにより、螺軸２１の回転に応じてスプール軸方向に往復移動し、スプール軸１６をハンドル１の回転に連動して往復移動させる。
【００３５】
係合部材２２ａは、図５に拡大して示すように、先端部側の係合部２２ｇが螺軸２１の螺旋状溝２１ａに係合し、基端側の小径の装着軸部２２ｈがスライダ本体２２ｂに装着されたブッシュ２２ｉに回動自在に支持されている。係合部材２２ａの基端部は、板状部材２２ｆによって抜け止めされている。係合部材２２ａは、リール本体２の第２蓋部材１２側の開口から挿入されている。係合部材２２ａは、第２蓋部材１２装着側から、スライダ本体２２ｂ、係合部材２２ａの順に組み立てられる。
【００３６】
スライダ本体２２ｂは、図４、図５に拡大して示すように、スプール軸１６の後端部が軸方向相対移動不能に装着される第１装着部２２ｃと、係合部材２２ａが装着される第２装着部２２ｄと、スプール軸１６が最も前方に位置したときに第１装着部２２ｃと第２装着部２２ｄとでマスターギア軸８を跨ぐように第１装着部２２ｃと第２装着部２２ｄとを連結する連結部２２ｅとを有している。すなわち、スライダ本体２２ｂは、マスターギア軸８の釣竿装着側と逆側（下側）に配置されスプール軸１６固定部分である第１装着部２２ｃと、マスターギア軸８の釣竿装着側（上側）に配置され係合部材２２ａの装着部分である第２装着部２２ｄと、スプール軸１６が最も前方に位置したときに第１装着部２２ｃと第２装着部２２ｄとでマスターギア軸８を跨ぐように第１装着部２２ｃと第２装着部２２ｄとを連結する連結部２２ｅとを有しており、第１装着部２２ｃと第２装着部２２ｄとがマスターギア軸８の上下を跨ぐように配置されている。
【００３７】
第１装着部２２ｃ、第２装着部２２ｄは、図４に示すように、スプール軸１６が最も前方に位置したときにマスターギア軸８より前方に位置するように配置されている。第２装着部２２ｄは、図４に示すように、第１装着部２２ｃより前方に位置するように配置されている。第２装着部は、図５に示すように、第１装着部２２ｃより第２蓋部材１２側（図５右側）に偏倚するように配置されている。連結部２２ｅは、図４に示すように、内周部がマスターギア軸８の外周部に沿った形状になるように、円柱状のマスターギア軸８の外周部に沿った略Ｕ字形状となるように形成されている。
【００３８】
スライダ本体２２ｂは、図５に拡大して示すように、螺軸２１のギア部７ａと離反する側（図５右側）の外周のみと対向して設けられている。ここで、螺軸２１は、マスターギアのギア部に面して配置され、スライダ本体は、螺軸のギア部と離反する側の外周のみと対向して設けられている。ここで、螺軸２１は、スライダ本体２２ｂと対向するように配置されているので、図５の右方向に向かって、マスターギア７のギア部７ａ、螺軸２１、係合部材２２ａ、スライダ本体２２ｂの順に配置されている。
【００３９】
ガイド軸２３ａ、２３ｂは、図５、図８に示すように、スライダ２２を貫通しており、スライダ２２をスプール軸１６に沿って案内する。ガイド軸２３ａ、２３ｂは、筐体部１０の後端と機構支持部１０ｂとに両端が固定されている。ガイド軸２３ａ、２３ｂは、筐体部１０の後方から装着されている。ガイド軸２３ａは、係合部材２２ａの係合部２２ｇの図５上方、すなわちリール脚１３ａに接近する方向で螺軸２１に近接して配置されている。また、ガイド軸２３ｂは、係合部材２２ａの装着軸部２２ｈの下方、すなわち、リール脚１３ａから離反する方向に少なくとも一部が重なるように前後方向に沿って配置されている。また、ガイド軸２３ｂは、スプール軸１６のマスターギア７から離反する側方に少なくとも一部が重なるように配置されている。ガイド軸２３ａを係合部２２ｇに近接して配置することにより、螺軸２１によりスライダ本体２２ｂを支持しなくても、係合部２２ｇと螺旋状溝２１ａとの距離を一定に保て係合部２２ａの係合状態が変動しにくくなる。また、ガイド軸２３ｂを係合部税２２ａの装着軸部２２ｈの下方に配置することにより、装着軸部２２ｈの下方のデッドスペースを有効利用でき、ガイド軸２３ｂを設けてもリール本体２の左右の幅に影響を与えにくい。さらに、スプール軸１６の側方にガイド軸２３ｂを設けることにより、リール本体２の上下方向の大きさにも影響を与えにくい。
【００４０】
ロータ３は、図２に示すように、ピニオンギア９を介してリール本体２に回転自在に装着されたロータ本体３５と、ロータ本体３５に揺動自在に装着されたベールアーム３４とを有している。ロータ本体３５は、たとえばアルミニウム合金製であり、ピニオンギア９に固定された筒状の支持部３０と、支持部３０の後端部外周面の対向する位置から支持部３０と間隔を隔ててそれぞれ前方に延びる第１ロータアーム３１及び第２ロータアーム３２とを有している。ロータ本体３５である、支持部３０、第１ロータアーム３１及び第２ロータアーム３２は、たとえばアルミニウム合金製であり、ダイカスト成形により一体成形されている。第１ロータアーム３１、第２ロータアーム３２の径方向外周側には、図１、図２に示すように、それぞれ、第１カバー部材３６、第２カバー部材３７により覆われている。また、第１ロータアーム３１、第２ロータアーム３２の先端の外周側には、ベールアーム３４を構成する第１ベール支持部材４０、第２ベール支持部材４２が揺動自在に装着されている。ベールアーム３４は、釣竿からスプール４に釣り糸をスムーズに案内してスプール４に釣り糸を巻き付けるために設けられている。ベールアーム３４は、糸案内姿勢とそれから反転した糸開放姿勢との間で揺動自在である。
【００４１】
ロータ３は、図２に示すように、逆転防止機構５０により糸繰り出し方向の回転を禁止・解除可能である。逆転防止機構５０は、筐体部１０の機構支持部１０ｂに装着されたローラ型のワンウェイクラッチ５１を有している。ワンウェイクラッチ５１は、逆転禁止状態と逆転可能状態とに切換可能である。逆転防止機構５０は、ワンウェイクラッチ５１を逆転禁止状態と逆転可能状態とに切り換える切換操作部５２をさらに有している。切換操作部５２は、筐体部１０の機構支持部１０ｂの下部に揺動自在に支持されている。
【００４２】
スプール４は、図２に示すように、たとえば、アルミニウム合金製の浅溝形のものであり、外周に釣り糸が巻き付けられる糸巻胴部４ａと、糸巻胴部４ａの後端部に糸巻胴部４ａより大径に形成された筒状のスカート部４ｂと、糸巻胴部４ａの先端部に糸巻胴部４ａより僅かに大径に形成された前フランジ部４ｃとを備えている。糸巻胴部４ａは薄肉筒状であり、その内周面には、補強のための環状リブ４ｄが軸方向に間隔を隔てて複数箇所（たとえば２箇所）に形成されている。
【００４３】
また、スプール４は、中心にスプール軸１６に回転自在に装着可能な取付ボス４ｅを有している。取付ボス４ｅの後端部分の大径部４ｆは、大径に形成され、かつ外周面が図９に示すように、六角形状に形成されている。大径部４ｆは、その後方でスプール軸１６に装着されたギア部材２８に回転不能に連結されている。ギア部材２８は、本来、ドラグ機構付きのスプール４がスプール軸１６に対して相対回転したときに発音させるために外周面に発音用の歯部２８ａが形成された部材であるが、この実施形態では、そのようなドラグ発音機構は設けられていない。この実施形態では、スプール４をスプール軸１６に対して回り止めするためにギア部材２８が使用されている。ギア部材２８は、スプール軸１６に回転不能かつ後方への移動が規制された状態で装着された金属製のワッシャ部材２９に回転不能に連結されている。ギア部材２８の前面には、六角形の大径部４ｆが回転不能に係合する１２の角部を有する星形の凹部２８ｂが形成されている。なお、ドラグ機構を有するスプールの場合は、歯部２８ａを使用して音出しし、凹部２８ｂを使用せずに、スプール４をスプール軸１６に対して回転自在にする。
【００４４】
なお、この実施形態では、ギア部材２８がスプール軸１６に回転不能に連結されているが、ギア部材２８はワッシャ部材２９により回り止めされるので、スプール軸１６に対して相対回転自在であってもよい。
【００４５】
ギア部材２８と大径部４ｆの後面との間には、スプール４をスプール軸１６から外したときに、ギア部材２８やワッシャ部材２９が脱落しないようにするための、たとえば、合成樹脂製の抜け止めワッシャ３８が設けられている。抜け止めワッシャ３８は、スプール軸１６に装着されており、その部分は、他の部分より僅かに小径に形成され、スプール軸１６から抜けにくくなっている。
【００４６】
スプール４は、スプール軸１６の先端に螺合するつまみ部材２７によりスプール軸１６に固定される。スプール軸１６の先端には、雄ねじ部１６ａが形成されているとともに、雄ねじ部１６ａより長い長さで互いに平行の面取部１６ｂが形成されている。つまみ部材２７は、スプール軸１６の雄ねじ部１６ａに螺合する金属製のナット部材２７ａと、ナット部材２７ａを金型内にインサートして一体形成された合成樹脂製のつまみ本体２７ｂとを有している。つまみ本体２７ｂは、ナット部材２７ａが内部に配置されたボス部２７ｃを有し、ボス部２７ｃは、ナット部材２７ａの後端面２７ｄまで回り込んで形成されている。これにより、ナット部材２７ａとボス部２７ｃとの接触面を増やすことができ、ナット部材２７ａがボス部２７ｃに対して緩みにくくなる。
【００４７】
このスピニングリールでは、螺軸２１は、マスターギア７のギア部７ａに面して配置され、スライダ本体２２ｂは、螺軸２１のギア部７ａと離反する側（図５右側）の外周のみと対向して設けられている。ここでは、螺軸２１は、スライダ本体２２ｂと対向するように配置されているので、従来のように螺軸がスライダ本体を貫通していた場合に比して、スライダ本体２２ｂを小型化することができる。また、さらに、ここでは、左方向に向かって、マスターギア７のギア部７ａ、螺軸２１、係合部材２２ａ、スライダ本体２２ｂの順に配置されているので、従来のように螺軸がスライダ本体を貫通していたときに不可能であった、螺軸２１をギア部７ａに近接するように配置することができるので、リール本体２を左右方向にコンパクト化することができる。
【００４８】
〔他の実施形態〕
（ａ）  前記実施形態では、投げ釣り用のスピニングリールを例にあげて説明したが、前記実施形態のオシレーティング機構６を有する他の態様のスピニングリールであってもよい。
【００４９】
（ｂ）  前記実施形態では、マスターギア７とマスターギア軸８とは、アルミニウム合金により一体成型されていたが、ステンレス合金により一体成型してもよいし、マスターギア７とマスターギア軸８とを別体で形成し、マスターギア７をマスターギア軸８にねじ止めする構成にしてもよい。たとえば、マスターギア７をアルミニウム合金で形成し、マスターギア軸８をステンレス合金で形成してもよい。また、マスターギア７とマスターギア軸８の軸受１９ａ支持部分をステンレス合金で一体成形し、マスターギア軸８の軸部分からマスターギア軸８の軸受１９ｂ支持部分までをアルミニウム合金で一体成形することによって、マスターギア７側の強度を高く維持しながら、マスターギア軸８の軸部分を小径にすることで、全体の軽量化を図れる。
【００５０】
（ｃ）  前記実施形態では、マスターギア軸８は、中実部材であったが、中空の筒状部材であってもよいし、複数の貫通孔を形成することによって、マスターギア軸８を軽量化する構成にしてもよい。
【００５１】
（ｄ）  前記実施形態では、螺軸２１は、図５の右方向に向かって、マスターギア７のギア部７ａ、螺軸２１、係合部材２２ａ、スライダ本体２２ｂの順に配置されていたが、ロータ３が逆方向に回転するリールの場合には、左方向に向かって、マスターギア７のギア部７ａ、螺軸２１、係合部材２２ａ、スライダ本体２２ｂの順に配置する構成にしてもよい。
【図面の簡単な説明】
【００５２】
【図１】本発明の一実施形態を採用したスピニングリールの側面図。
【図２】前記スピニングリールの側面断面図。
【図３】前記スピニングリールの背面断面図。
【図４】スライダの拡大側面図。
【図５】前記スライダの拡大背面図。
【図６】減速機構の拡大背面図。
【図７】前記減速機構の拡大側面図。
【図８】前記スピニングリールの斜視図。
【図９】スプールのボス部の断面図。
【符号の説明】
【００５３】
１  ハンドル
２  リール本体
３  ロータ
４  スプール
５  ロータ駆動機構
６  オシレーティング機構
７  マスターギア
８  マスターギア軸
９  ピニオンギア
１０  筐体部
１１  第１蓋部材
１２  第２蓋部材
１３  竿取付脚部
１４  第１カバー部材
１５  第２カバー部材
１６  スプール軸
２０  減速機構
２１  螺軸
２１ａ  螺旋状溝
２２  スライダ
２２ａ  係合部材
２２ｂ  スライダ本体
２２ｃ  第１装着部
２２ｄ  第２装着部
２２ｅ  連結部
２２ｆ  板状部材
２２ｇ  係合部
２２ｈ  装着軸部
２３ａ、２３ｂ  ガイド軸
２５  段付ギア
２５ａ  大径ギア
２５ｂ  小径ギア
２６  中間ギア
【手続補正３】
【補正対象書類名】図面
【補正対象項目名】図２
【補正方法】変更
【補正の内容】
【図２】
2009065934.tif 000001
【手続補正４】
【補正対象書類名】図面
【補正対象項目名】図５
【補正方法】変更
【補正の内容】
【図５】
2009065934.tif 000002